(57)【特許請求の範囲】
【請求項１】
給水管と脈動水吐出口との間に取り付けられて使用され、前記給水管からの給水時に所定のパターンのパルス電圧を周期的に給電する制御部によって制御される脈動発生用電磁ポンプにおいて、
電磁コイルが外周に設けられ、内部に前記給水管からの給水が流通する管状のシリンダと、
前記シリンダ内の下流側に設けられ、前記電磁コイルの作用により磁化される磁気ヘッドと、
前記シリンダ内の上流側において、前記磁気ヘッドに当接する吐出位置と該吐出位置から離れた所定の復帰位置との間を往復動自在に設けられた電磁プランジャーピストンと、
前記電磁プランジャーピストンを前記復帰位置に移動させるように付勢するばねと、を備えており、
前記電磁プランジャーピストンは、前記シリンダ内の通路の下流側と上流側とを連通する貫通孔を有し、
前記制御部からパルス電圧が印加されていない停止状態において給水管からの給水圧だけが作用する時の前記電磁プランジャーピストンの下流側吐出圧力を停止圧力としたとき、
前記貫通孔の孔径寸法は、（ａ）前記給水管からの給水状態において前記制御部からのパルス電圧の給電に応じて前記電磁プランジャーピストンが前記吐出位置にまで動いた時にシリンダ下流側へと水を動かす吐出圧力の最大値が前記停止圧力の略１．５倍以上となり、（ｂ）前記最大値と、前記パルス電圧の印加停止後に前記電磁プランジャーピストンが前記ばねの力で復帰位置に戻る際の前記吐出圧力の最小値との差が、前記停止圧力と同等以上となるように設定されており、前記貫通孔に逆止弁を設けていないことを特徴とする脈動発生用電磁ポンプ。
【請求項２】
前記給水管と前記シリンダとの間の通路に、所定長の弾性体チューブの両端開口が連結されていることを特徴とする請求項１に記載の脈動発生用電磁ポンプ。
【請求項３】
前記シリンダには、前記電磁プランジャーピストンを前記磁気ヘッドへと押す力を強めるように、前記電磁コイルの隣接位置に磁気リングが設けられていることを特徴とする請求項１または請求項２に記載の脈動発生用電磁ポンプ。
【請求項４】
給水管と脈動水吐出口との間に取り付けられて使用される脈動発生用電磁ポンプと、前記給水管からの給水時に、前記脈動水吐出口から脈動水を吐出させるように前記脈動発生用電磁ポンプに所定のパターンのパルス電圧を周期的に給電する制御部と、で構成され、
前記脈動発生用電磁ポンプは、電磁コイルが外周に設けられ、内部に前記給水管からの給水が流通する管状のシリンダと、
前記シリンダ内の下流側に設けられ、前記電磁コイルの作用により磁化される磁気ヘッドと、
前記シリンダ内の上流側において、前記磁気ヘッドに当接する吐出位置と該吐出位置から離れた所定の復帰位置との間を往復動自在に設けられた電磁プランジャーピストンと、
前記電磁プランジャーピストンを前記復帰位置に移動させるように付勢するばねと、を備えており、
前記電磁プランジャーピストンは、前記シリンダ内の通路の下流側と上流側とを連通する貫通孔を有し、
前記制御部からパルス電圧が印加されていない停止状態において給水管からの給水圧だけが作用する時の前記電磁プランジャーピストンの下流側吐出圧力を停止圧力としたとき、
前記貫通孔の孔径寸法は、（ａ）前記給水管からの給水状態において前記制御部からのパルス電圧の給電に応じて前記電磁プランジャーピストンが前記吐出位置にまで動いた時にシリンダ下流側へと水を動かす吐出圧力の最大値が前記停止圧力の略１．５倍以上となり、（ｂ）前記最大値と、前記パルス電圧の印加停止後に前記電磁プランジャーピストンが前記ばねの力で復帰位置に戻る際の前記吐出圧力の最小値との差が、前記停止圧力と同等以上となるように設定されており、前記貫通孔に逆止弁を設けていないことを特徴とする脈動水吐出装置。
【請求項５】
前記制御部は、一周期内において、（ｃ）前記電磁プランジャーピストンが吐出位置に到達し得る時間だけパルス電圧を印加して前記吐出圧基準値以上の吐出圧力の主脈動水を吐出させ、（ｄ）前記パルス電圧印加後、前記ばねの力で前記復帰位置に復帰した前記電磁プランジャーピストンの前記吐出圧力が、前記電磁ポンプの停止状態において前記電磁プランジャーピストンが復帰位置に停止している時の停止圧力と同じになる予め定めた停止圧力タイミングに、前記時間よりも短い時間だけパルス電圧を印加して前記主脈動水より低い吐出圧力の副脈動水を吐出させる制御を行い、
前記短い時間は、該短い時間のパルス電圧印加後に前記ばねの力で前記復帰位置に復帰した前記電磁プランジャーピストンの前記吐出圧力が前記停止圧力と同じになるタイミングが、次の周期の主脈動水吐出用のパルス電圧印加タイミングとなるような時間であることを特徴とする請求項４に記載の脈動水吐出装置。
【請求項６】
前記給水管と前記シリンダとの間の通路に、所定長の弾性体チューブの両端開口が連結されていることを特徴とする請求項４又は請求項５に記載の脈動水吐出装置。
【請求項７】
前記シリンダには、前記電磁プランジャーピストンを前記磁気ヘッドへと押す力を強めるように、前記電磁コイルの隣接位置に磁気リングが設けられていることを特徴とする請求項４乃至請求項６のいずれか一項に記載の脈動水吐出装置。
【発明の詳細な説明】
【技術分野】
【０００１】
本発明は、例えば洗浄機能付きの便座において給水管からの水道水に脈動を加え、脈動水吐出口である洗浄水ノズルの吐出口から勢いよく脈動水を射出することができる脈動発生用電磁ポンプ及びこれを用いた脈動水吐出装置に関する。
【背景技術】
【０００２】
従来、給水管と脈動水吐出口との間に取り付けられて使用され、給水管からの給水時に所定のパターンのパルス電圧を周期的に給電する制御部によって制御される脈動発生用電磁ポンプが知られている。該電磁ポンプは、一般に、電磁コイルが外周に設けられ、内部に給水管からの給水が流通する管状のシリンダと、該シリンダ内に設けられる磁気ヘッド、電磁プランジャーピストン等を備えている。磁気ヘッドは、シリンダ内の下流側に取り付けられ、電磁コイルの作用により磁化される。電磁プランジャーピストンは、シリンダ内の上流側において、磁気ヘッドに当接する吐出位置と該吐出位置から離れた所定の復帰位置との間を往復動自在に設けられている。その他シリンダ内には、給水管からの給水時に、電磁プランジャーピストンを復帰位置に静止するように付勢するばねを備えている。電磁プランジャーピストンは、シリンダ内の通路の下流側と上流側とを連通する貫通孔と、給水管から脈動水吐出口方向へのみ水を通す逆止弁と、を有している。【０００３】
特許文献１には、ノズル状のゴムチューブ製のダックビル弁を逆止弁として有する電磁ポンプが記載されており、特許文献２には、ばねの力で開閉動作する弁によって貫通孔を塞ぐ逆止弁を備えている電磁ポンプが開示されている。
【先行技術文献】
【特許文献】
【０００４】
【特許文献１】特許第４１６９３０６号公報
【特許文献２】特許第３６４７３５６号公報
【発明の概要】
【発明が解決しようとする課題】
【０００５】
特許文献１に記載の電磁ポンプの逆止弁は、経年劣化によりゴムが劣化して故障する虞があり、特許文献２に記載の電磁ポンプの逆止弁は、構成が複雑なために故障しやすいという問題があった。【０００６】
本発明は、上記従来例の問題を解決するためになされたものであり、逆止弁を用いない構造のインライン型の脈動発生用電磁ポンプ及びこれを用いた脈動水吐出装置を提供することを目的とする。
【課題を解決するための手段】
【０００７】
上記目的を達成するために本発明は、給水管と脈動水吐出口との間に取り付けられて使用され、前記給水管からの給水時に所定のパターンのパルス電圧を周期的に給電する制御部によって制御される脈動発生用電磁ポンプにおいて、電磁コイルが外周に設けられ、内部に前記給水管からの給水が流通する管状のシリンダと、前記シリンダ内の下流側に設けられ、前記電磁コイルの作用により磁化される磁気ヘッドと、前記シリンダ内の上流側において、前記磁気ヘッドに当接する吐出位置と該吐出位置から離れた所定の復帰位置との間を往復動自在に設けられた電磁プランジャーピストンと、前記電磁プランジャーピストンを前記復帰位置に移動させるように付勢するばねと、を備えており、前記電磁プランジャーピストンは、前記シリンダ内の通路の下流側と上流側とを連通する貫通孔を有し、前記制御部からパルス電圧が印加されていない停止状態において給水管からの給水圧だけが作用する時の前記電磁プランジャーピストンの下流側吐出圧力を停止圧力としたとき、前記貫通孔の孔径寸法は、（ａ）前記給水管からの給水状態において前記制御部からのパルス電圧の給電に応じて前記電磁プランジャーピストンが前記吐出位置にまで動いた時にシリンダ下流側へと水を動かす吐出圧力の最大値が前記停止圧力の略１．５倍以上となり、（ｂ）前記最大値と、前記パルス電圧の印加停止後に前記電磁プランジャーピストンが前記ばねの力で復帰位置に戻る際の前記吐出圧力の最小値との差が、前記停止圧力と同等以上となるように設定されており、前記貫通孔に逆止弁を設けていないことを特徴とする。
【０００８】
前記給水管と前記シリンダとの間の通路に、所定長の弾性体チューブの両端開口が連結されていることが好ましい。【０００９】
前記シリンダには、前記電磁プランジャーピストンを前記磁気ヘッドへと押す力を強めるように、前記電磁コイルの隣接位置に磁気リングを設けてもよい。【００１０】
また、本発明は、給水管と脈動水吐出口との間に取り付けられて使用される脈動発生用電磁ポンプと、前記給水管からの給水時に、前記脈動水吐出口から脈動水を吐出させるように前記脈動発生用電磁ポンプに所定のパターンのパルス電圧を周期的に給電する制御部と、で構成され、前記脈動発生用電磁ポンプは、電磁コイルが外周に設けられ、内部に前記給水管からの給水が流通する管状のシリンダと、前記シリンダ内の下流側に設けられ、前記電磁コイルの作用により磁化される磁気ヘッドと、前記シリンダ内の上流側において、前記磁気ヘッドに当接する吐出位置と該吐出位置から離れた所定の復帰位置との間を往復動自在に設けられた電磁プランジャーピストンと、前記電磁プランジャーピストンを前記復帰位置に移動させるように付勢するばねと、を備えており、前記電磁プランジャーピストンは、前記シリンダ内の通路の下流側と上流側とを連通する貫通孔を有し、前記制御部からパルス電圧が印加されていない停止状態において給水管からの給水圧だけが作用する時の前記電磁プランジャーピストンの下流側吐出圧力を停止圧力としたとき、前記貫通孔の孔径寸法は、（ａ）前記給水管からの給水状態において前記制御部からのパルス電圧の給電に応じて前記電磁プランジャーピストンが前記吐出位置にまで動いた時にシリンダ下流側へと水を動かす吐出圧力の最大値が前記停止圧力の略１．５倍以上となり、（ｂ）前記最大値と、前記パルス電圧の印加停止後に前記電磁プランジャーピストンが前記ばねの力で復帰位置に戻る際の前記吐出圧力の最小値との差が、前記停止圧力と同等以上となるように設定されており、前記貫通孔に逆止弁を設けていないことを特徴とする。
【００１１】
前記制御部は、一周期内において、（ｃ）前記電磁プランジャーピストンが吐出位置に到達し得る時間だけパルス電圧を印加して前記吐出圧基準値以上の吐出圧力の主脈動水を吐出させ、（ｄ）前記パルス電圧印加後、前記ばねの力で前記復帰位置に復帰した前記電磁プランジャーピストンの前記吐出圧力が、前記電磁ポンプの停止状態において前記電磁プランジャーピストンが復帰位置に停止している時の停止圧力と同じになる予め定めた停止圧力タイミングに、前記時間よりも短い時間だけパルス電圧を印加して前記主脈動水より低い吐出圧力の副脈動水を吐出させる制御を行い、前記短い時間は、該短い時間のパルス電圧印加後に前記ばねの力で前記復帰位置に復帰した前記電磁プランジャーピストンの前記吐出圧力が前記停止圧力と同じになるタイミングが、次の周期の主脈動水吐出用のパルス電圧印加タイミングとなるような時間であることが好ましい。【００１２】
前記給水管と前記シリンダとの間の通路に、所定長の弾性体チューブの両端開口が連結されていることが好ましい。【００１３】
前記シリンダには、前記電磁プランジャーピストンを前記磁気ヘッドへと押す力を強めるように、前記電磁コイルの隣接位置に磁気リングを設けてもよい。
【発明の効果】
【００１４】
本発明によれば、制御部から給電されるパルス電圧に応じて吐出圧基準値以上の吐出圧力を得られる孔径寸法の貫通孔を有する電磁プランジャーピストンを用いることにより、電磁ポンプとして所望される出力特性を確保しつつ、故障原因の１つであった逆止弁を無くして電磁ポンプの故障原因を減らし、電磁ポンプ及びこれを用いた脈動水吐出装置の耐久性を伸ばすことができる。なお、電磁ポンプの給水管とシリンダとの間の通路に、所定長の弾性体チューブの両端開口を連結することにより、該電磁ポンプに畜圧能力の調節が容易なアキュームレータの機能を付加することができる。
【図面の簡単な説明】
【００１５】
【図１】本発明の実施形態に係る脈動水吐出装置の全体構成を示す斜視図。
【図２】同脈動水吐出装置が備えている脈動発生用電磁ポンプの分解斜視図。
【図３】同電磁ポンプの断面図。
【図４Ａ】同電磁ポンプに給電するパルス電圧の波形図。
【図４Ｂ】同電磁ポンプの電磁プランジャーピストンの貫通孔の直径がφ＝１．６ｍｍの場合の電磁ポンプの吐出圧力特性を示すグラフ。
【図５Ａ】同電磁ポンプの給水部品の変形例の斜視図。
【図５Ｂ】同電磁ポンプの給水部品の変形例の斜視図。
【図６】上記実施形態に用いた電磁ポンプを改良した第１改良例に係る電磁ポンプの断面図。
【図７】実施形態に係る電磁ポンプ及び第１改良例に係る電磁ポンプの吐出圧力特性を示すグラフ。
【図８】上記実施形態に用いた電磁ポンプを改良した第２改良例に係る電磁ポンプの断面図。
【図９】実施形態に係る電磁ポンプ及び第２改良例に係る電磁ポンプの吐出圧力特性を示すグラフ。
【発明を実施するための形態】
【００１６】
本発明の脈動発生用電磁ポンプは、吐出圧の最大値が吐出圧基準値以上の値を示すと同時に、吐出後に元の復帰位置に戻る際の吐出圧力の最小値と前記最大値との差が圧力差基準値以上となる孔径寸法の貫通孔を有する電磁プランジャーピストンを備えている。このピストンの貫通孔には、吐出時に閉じ、前記吐出後に復帰位置に戻る際に開く逆止弁が設けられていないことを特徴とする。この構成を採用することによって、電磁ポンプとして所望される出力特性を確保しつつ、故障原因の１つであった逆止弁を無くして電磁ポンプの故障原因を減らし、電磁ポンプの耐久性を飛躍的に伸ばす。
【００１７】
図１は、例えば洗浄機能付き便座に取り付けられて用いられる脈動水吐出装置１を示す。脈動水吐出装置１は、水道水の給水管２に接続されている電磁弁３と、電磁弁３の下流側で別の給水管４を介して接続されている脈動発生用電磁ポンプ５と、電磁ポンプ５の吐出口に取り付けられている洗浄用ノズル６（脈動水吐出口）と、制御部７と、を備えている。
【００１８】
制御部７は、スイッチ７ａを有しており、スイッチ７ａが押下された時に電磁弁３を開き、電磁ポンプ５に、所定のパターンのパルス電圧を周期的に給電する。また、制御部は無線信号の受信器７ｂを備えており、ワイヤレスリモコン７ｃからスイッチ７ｄが押下されたことを表す無線信号を受信器７ｂが受信した時に電磁弁３を開き、電磁ポンプ５に前記の給電を行う。制御部７は、スイッチ７ａが再度押下された時、又はスイッチ７ｄの押下に応じてワイヤレスリモコン７ｃから送られてくる無線信号を受信器７ｂが再度受信した時に、電磁弁３を閉じ、給電を停止する。
【００１９】
電磁ポンプ５は、パルス電圧の印加に応じて動作し、均一の圧力で供給されてくる水道水に脈動する圧力を加減して脈動水を吐出する。電磁ポンプ５から吐出された脈動水は、ノズル６の吐出口から勢いよく射出される。
【００２０】
図２及び図３は電磁ポンプ５の構成を示す。電磁ポンプ５は、上流側から順に、給水された水をポンプ５の内部に導くアキュームレータ機能付き給水部品８と、パルス電圧により動作して給水部品８から給水される水に脈動を与え吐出するピストン部９とを備えている。さらに、電磁ポンプ５は、ピストン部９から吐出されてくる脈動水を外部のノズル６へと送りだす吐出側部品１０と、前記ピストン部９を図中実線で示す矢印２０、２１で示すように給水部品８及び吐出側部品１０との間に挟んで固定する留め具１１と、を備えている。
【００２１】
給水部品８は、給水口８ａと、該給水口８ａに通路８ｂにより通じている吐出口８ｃと、前記通路８ｂから伸びている枝管８ｄ、８ｅに両端開口８ｆ、８ｇが連結されている所定長の弾性体チューブ８ｈと、で構成されている。弾性体チューブ８ｈは、アキュームレータとして機能する。
【００２２】
一般の弾性膜を用いるアキュームレータでは膜厚、その膜強度又は膜の大きさを変えて畜圧能力を調節する必要があり、精度よく調節することが難しい。これに比べて弾性体チューブ８ｈは、チューブの厚み及び強度だけでなく、その長さを調節することによって、取り付けスペースを広げることなく、畜圧能力を極めて容易に精度よく調節できる利点がある。この弾性体チューブ８ｈにより構成されるアキュームレータは、電磁ポンプ５に限らず、ピストン９ｅに逆止弁を備えている従来の電磁ポンプにも用いることができる。
【００２３】
ピストン部９は、留め具９ａに固定される電磁コイル９ｂと、電磁コイル９ｂが外周に設けられ、内部に給水部品８の吐出口８ｃからの給水が流通する管状のシリンダ９ｃとを備える。シリンダ９ｃ内には、その下流側に設けられ、電磁コイル９ｂの作用により磁化される磁気ヘッド９ｄと、電磁プランジャーピストン９ｅとを備えている。電磁プランジャーピストン９ｅは、シリンダ９ｃ内の上流側において、磁気ヘッド９ｄに当接する吐出位置（Ｐ１）と該吐出位置から離れた所定の復帰位置（Ｐ２）との間（間隔Ｌ１）を往復動自在に設けられている。ピストン９ｅは、２つのばね９ｆ、９ｇによって復帰位置に移動させるように付勢されている。シリンダ９ｃの両側には、シリンダ９ｃを給水部品８及び吐出側部品１０との間に挟んで固定する際に用いるゴムシール９ｈ、９ｉが設けられている。ばね９ｆは、上流側が給水部品８の吐出口８ｃに当接し、下流側がピストン９ｅに当接してピストン９ｅを下流側に押すように作用する。ばね９ｇは磁気ヘッド９ｄに設けられている貫通孔９ｊを伸縮自在の状態で通り、上流側がピストン９ｅに当接し、下流側が吐出側部品１０に当接してピストン９ｅを上流側に押すように作用する。これらばね９ｆ、９ｇの作用により、ピストン９ｅは、常に復帰位置に復帰するように付勢されている。
【００２４】
また、ピストン９ｅは、シリンダ９ｃ内の通路の下流側と上流側とを連通する貫通孔９ｋを有している。貫通孔９ｋの孔径寸法は、（ａ）電磁弁３が開き、給水管２から給水されている状態において制御部７からのパルス電圧の給電に応じてピストン９ｅが吐出位置にまで動いた時にシリンダ下流側へと水を動かす吐出圧力の最大値が所定の吐出圧基準値以上となり、（ｂ）最大値と、パルス電圧の印加停止後にピストン９ｅがばね９ｆ、９ｇの力で復帰位置に戻る際の吐出圧力の最小値との差が、所定の圧力差基準値以上となるように設定されている。これにより、電磁ポンプ５は、水玉状の脈動水を吐出することができる。
【００２５】
吐出側部品１０は、磁気ヘッド９ｄの貫通孔９ｊと略同径の給水口１０ａと、給水口１０ａに連通している吐出口１０ｂと、ノズル６取り付け時に用いるシール１０ｃと、を備えている。
【００２６】
上記構成の電磁ポンプ５において、ピストン９ｅの貫通孔９ｋには、吐出時に閉じ、吐出後に復帰位置に戻る際に開く逆止弁が設けられていない。ピストン５ｅは復帰位置に戻る際に吐出口側へと流れている水流を不必要にかき乱すことが無く、この結果、電磁ポンプ５は脈動圧のみによってきれいな水玉状の脈動水を形成することができる。このことは、少ない水量でも脈動による明確な衝撃を生じ、例えば洗浄用に用いた場合の洗浄効果を高める効果を生じる。
【００２７】
以下、図３、図４Ａ、図４Ｂを参照して電磁ポンプ５の実施例について、具体的な各部の寸法及び実験データを示しつつ、ピストン９ｅの貫通孔９ｋの孔径寸法Ｒ２の設定基準について説明する。シリンダ９ｃ内側の直径Ｒ１は８ｍｍで、内部を摺動可能に収められているピストン９ｅの外径はこれよりわずかに小さい約８ｍｍである。ピストン９ｅの貫通孔９ｋの孔径寸法Ｒ２は１．６ｍｍである。磁気ヘッド９ｄの貫通孔９ｊの孔径寸法Ｒ３は４．０ｍｍである。ピストン９ｅの下流側にはばね９ｇの端が嵌る凹部９ｌが設けられている。ピストン９ｅの吐出位置Ｐ１と復帰位置Ｐ２との間の距離、即ちピストン９ｅのストロークＬ１は２．３４ｍｍである。磁気ヘッド９ｄ及びピストン９ｅは、互いに向き合い接する斜面を有している。ばね９ｆ、９ｇのセット荷重は、水道水の水圧（一般に１００ｋＰａ前後の値）及びパルス電圧印加時のピストン９ｅの推進力との関係により定められ、停止時にピストン９ｅを復帰位置Ｐ２に置き、かつ、駆動時にはピストン９ｅが磁気ヘッド９ｄに当接する位置Ｐ１に移動して所望の吐出圧力が出力できるという条件を満たす値、例えば約４００ｇｆ〜１１００ｇｆの値である。
【００２８】
図４Ａは、上記構成の電磁ポンプ５を使用する脈動水吐出装置１において、制御部７からコイル９ｂに印加するパルス電圧波形を示す。パルス電圧の出力は定電圧Ｖｃｃ（例えば２４Ｖ）で、その周期Ｔは例えば０．０２０ｓｅｃである。制御部７は、一周期Ｔ内の所定のタイミングに長い時間ＴＬ（例えば４．２ｍｓｅｃ）及び短い時間ＴＳ（例えば１．５ｍｓｅｃ）の間、パルス電圧を出力する。
【００２９】
図４Ｂは、上記構成の電磁ポンプ５の吐出圧力の実測データである。同図において横軸は時間、縦軸は圧力であり、実線で示すデータは、図４Ａに示すタイミングで制御部７から電磁ポンプ５にパルス電圧を印加した運転状態において、ピストン９ｅの下流側の吐出圧力ＤＰを所定の時間間隔で実測したものである。また、点線で示すデータは、制御部７からパルス電圧が印加されていない停止状態において電磁弁３を開いて水道水の圧力だけが作用する時のピストン９ｅの下流側吐出圧力のグラフである。以下、この点線で示す吐出圧力を停止圧力という。停止圧力は、約９９ｋＰａである。Ａ点は、パルス電圧を短い時間ＴＳだけ印加した後にばね９ｆ、９ｇの力で復帰位置Ｐ２に復帰した時の吐出圧力ＤＰ（＝８１ｋＰａ）を表す。Ｂ点は、給水管４からの水道水の圧力により停止圧力に戻ったタイミングで、パルス電圧を比較的長い時間ＴＬだけ印加した場合に得られる吐出圧力の最大値ＤＰｍａｘ（＝１５６ｋＰａ）を示す。Ｃ点は、その後にばね９ｆ、９ｇの力で復帰位置Ｐ２に復帰した時の吐出圧力の最小値ＤＰｍｉｎ（=３４ｋＰａ)を示す。Ｄ点は、給水管４からの水道水の圧力により停止圧力に戻ったタイミングで、再びパルス電圧を短い時間ＴＳだけ印加した場合に得られる吐出圧力ＤＰ（＝１２６ｋＰａ）を示す。制御部７によるパルス電圧の印加に応じてＡ点、Ｂ点、Ｃ点、Ｄ点と吐出圧力が繰り返し変わる。
【００３０】
一周期Ｔの中で、パルス電圧を短い時間ＴＳだけ再度印加する理由は、大小の水玉部分を作るためである。短い時間ＴＳの値は、パルス電圧を短い時間だけ印加した後に、吐出圧力が停止圧力と同じになるタイミングが、次の周期の長い時間のパルス電圧印加タイミングと一致する時間に設定する。短い時間ＴＳを、このような値に設定することによって、一周期Ｔの終期の手前で吐出圧力が停止圧力となり、脈動していない部分ができること防ぐ。なお、所望の場合には、時間ＴＳの値を更に短くして、大小の水玉部分の間に脈動していない部分を作ることもできる。
【００３１】
実用上、吐出圧力の最大値ＤＰｍａｘは、吐出圧基準値（ＤＰｒｅｆ）（＝１５０ｋＰａ）以上が望まれる。また、吐出圧力の最大値と最小値との差ＰＤ（＝ＤＰｍａｘ−ＤＰｍｉｎ）は、圧力差基準値（ＰＤｒｅｆ）（＝１００ｋＰａ）以上が望まれる。本実施形態の電磁ポンプ５は、この基準を満たしている。
【００３２】
このような所望の出力条件を満たす電磁ポンプ５は、従来の電磁ポンプにおいて故障原因の１つであったピストンの貫通孔の逆止弁を備えていないため故障が少なく、飛躍的に改善された優れた耐久性を有する。
【００３３】
ピストン９ｅの貫通孔９ｋの孔径寸法Ｒ２の値を、φ＝１．２ｍｍ、１．４ｍｍ、１．８ｍｍ、２．０ｍｍ、２．２ｍｍ、２．４ｍｍ、３．０ｍｍ、３．５ｍｍに変えた場合において、図４Ａに示したパルス電圧を印加した時のピストン９ｅの下流側の吐出圧力ＤＰを所定の時間間隔で実測した。孔径寸法Ｒ２の値毎に、図４Ｂに示したＡ〜Ｄ点の吐出圧力（ｋＰａ）をまとめたのが次に示す表１である。
【００３４】
【表１】
0005872706.tif 000002
【００３５】
表１は、左端から“ピストン９ｅの貫通孔９ｋの孔径寸法Ｒ２の値”、“パルス電圧を印加していない完全な停止時にピストン９ｅの貫通孔９ｋに流れる水量（ｍｌ／ｍｉｎ）”、“停止時のピストン９ｅ上流側の圧力及び下流側の停止圧力”、“パルス電圧印加時に検出されるＡ〜Ｄ点の吐出圧力”、“吐出圧力の最大値と最小値との差ＰＤ”を示す。
【００３６】
表１からは、貫通孔９ｋの孔径寸法Ｒ２の値がφ＝１．６ｍｍ乃至２．０ｍｍの時に、Ｂ点で検出される吐出圧力の最大値ＤＰｍａｘが吐出圧基準値ＤＰｒｅｆ（＝１５０ｋＰａ）以上で、かつ、吐出圧力の最大値と最小値との差ＰＤ（“Ｂ点の吐出圧力”―“Ｃ点の吐出圧力”）が圧力差基準値ＰＤｒｅｆ（＝１００ｋＰａ）以上となることが解る。
【００３７】
図５Ａ、図５Ｂは、アキュームレータ機能を有する給水部品８の変形例を示す。図中、給水部品８と同様の構成要素には同じ参照番号を付して重複した説明は省く。何れの変形例も給水口８ａと吐出口８ｃとの間の通路８ｂの枝管に、所定長の弾性体チューブ８ｉ、８ｊの両端開口が連結されている。これらの変形例においても、弾性体チューブ８ｉ、８ｊの長さを換えるだけで、極めて簡単に畜圧能力を調節できるという利点を有している。
【００３８】
以上に説明した構成の脈動発生用電磁ポンプ及びこれを用いた脈動水吐出装置は、所望の出力特性を確保しつつ、即ち所望の吐出圧力及び該吐出圧力の最大値及び最小値の差を有しつつ、故障原因の１つであった逆止弁を無くして電磁ポンプの故障原因を減らしたことにより、飛躍的に改善された優れた耐久性を有する。
【００３９】
なお、本発明は、上記各種実施形態の構成に限られず、発明の趣旨を変更しない範囲で種々の変形が可能である。例えば、給水部品８の弾性体チューブ８ｈの中にコイルを挿入し、弾性体チューブ８ｈが折れ曲がって通路を閉塞してしまうことを防ぐ構成を採用してもよい。
【００４０】
また、電磁ポンプ５の変形例として、シリンダ９ｃに、電磁プランジャーピストン９ｅを磁気ヘッド９ｄへと押す力を強めるように、電磁コイル９ｂの隣接位置、例えば吐出口８ｃに近い側に磁気リングを追加(図８に示す磁気リング１２を参照)してもよい。当該構成によって、吐出圧力の最大値ＤＰｍａｘを高くすることができる。
【００４１】
図６は、上記実施形態に用いた電磁ポンプ５を改良した第１改良例に係る電磁ポンプ５Ａを示す。図中、電磁ポンプ５と同様の構成要素には同じ参照番号を付して重複した説明は省く。この電磁ポンプ５Ａは、上述の電磁ポンプ５のピストン９ｅを復帰位置に戻すばね９ｇのセット荷重を小さくし、磁気ヘッド９ｄを短くすることによってピストン９ｅのストロークを長くしている。例えば、脈動水吐出装置１を洗浄機能付きの便座に使用する場合、吐出圧力の最大値ＤＰｍａｘと最小値ＤＰｍｉｎとの差ＰＤがあまりに大きいと、使用者によっては好ましく思わない場合がある。この場合、前述したばね９ｆ、９ｇのセット荷重についての条件を満たす限りにおいて、電磁ポンプ５Ａは、電磁ポンプ５のばね９ｇのセット荷重を小さくし、吐出圧力の最小値ＤＰｍｉｎを少し高めに設定する。ばね９ｇのセット荷重を小さくすると、ピストン９ｅを磁気ヘッド９ｄへと押し出す力が強くなり、ピストン９ｅが磁気ヘッド９ｄに強く当たって音鳴りがする場合がある。このような音鳴りを無くすため、電磁ポンプ５Ａは、磁気ヘッド９ｄを短くすることによってピストン９ｅのストロークを、電磁ポンプ５の場合のＬ１よりも長いＬ２にしている。
【００４２】
図７は、実施例としての電磁ポンプ５及び上記第１改良例に係る電磁ポンプ５Ａの吐出圧力特性を示す。実線は、ピストン９ｅの貫通孔９ｋの直径がφ＝１．６ｍｍの場合の電磁ポンプ５Ａの吐出圧力特性を示し、点線は、ピストン９ｅの貫通孔９ｋの直径がφ＝１．６ｍｍの場合の電磁ポンプ５の吐出圧力特性を示す。同図より、電磁ポンプ５Ａは、電磁ポンプ５と比べて吐出圧力の最大値が若干低い値で、吐出圧力の最小値ＤＰｍｉｎが高くなり、差ＰＤが小さくなっていることが分かる。
【００４３】
第１改良例の電磁ポンプ５Ａにおいては、磁気ヘッド９ｄの長さが短くなることに起因する電磁プランジャーピストン９ｅを磁気ヘッド９ｄ側へ押す力が減少する。このため、吐出圧力の最大値ＤＰｍａｘの値が、電磁ポンプ５よりも小さくなった。この値によっては、吐出圧力の最大値ＤＰｍａｘが吐出圧基準値ＤＰｒｅｆ以上で、かつ、差ＰＤが圧力差基準値ＰＤｒｅｆ以上とするため、最大吐出圧力ＤＰｍａｘを補う必要がある。
【００４４】
図８は、上記第１改良例に係る電磁ポンプ５Ａをさらに改良した第２改良例に係る電磁ポンプ５Ｂを示す。図中、電磁ポンプ５と同様の構成要素には同じ参照番号を付して重複した説明は省く。電磁ポンプ５Ｂは、電磁ポンプ５Ａのシリンダ９ｃの電磁コイル９ｂの隣接位置、例えば給水部品８に近い側に磁気リング１２を追加した構成とされている。
【００４５】
図９は、実施例としての電磁ポンプ５及び上記第２改良例に係る電磁ポンプ５Ｂの吐出圧力特性を示す。実線は、ピストン９ｅの貫通孔９ｋの直径がφ＝１．６ｍｍの場合の電磁ポンプ５Ｂの吐出圧力特性を示し、点線は、ピストン９ｅの貫通孔９ｋの直径がφ＝１．６ｍｍの場合の電磁ポンプ５の吐出圧力特性を示す。電磁ポンプ５Ｂは、電磁ポンプ５と比べて吐出圧力の最大値ＤＰｍａｘが高くなっている。また、図7と比べれば明確なように、電磁ポンプ５Ｂは、第1改良例に係る電磁ポンプ５Ａと比べて吐出圧力の最大値ＤＰｍａｘが高くなっている。このように、必要に応じて磁気リング１２を使用することによって吐出圧力の最大値ＤＰｍａｘを増加できる。
【産業上の利用可能性】
【００４６】
本発明の脈動発生用電磁ポンプ及びこれを用いた脈動水吐出装置は、洗浄機能付きの便座に使用できる他、例えば、ジェットバス、手洗い用のハンドシャワー、脈動水を歯に当てて歯磨きを行うバブルジェット式の歯磨き装置等、脈動する水流が望まれる個所に用いることができる。
【符号の説明】
【００４７】
１          脈動水吐出装置
４          給水管
５、５Ａ、５Ｂ    脈動発生用電磁ポンプ
６          ノズル（脈動水吐出口）
７          制御部
８ｈ        弾性体チューブ
９ｃ        シリンダ
９ｄ    磁気ヘッド
９ｅ        電磁プランジャーピストン
９ｋ        貫通孔
１２        磁気リング
ＤＰｍａｘ  吐出圧力の最大値
ＤＰｍｉｎ  吐出圧力の最小値
【図１】
0005872706.tif 000003
【図２】
0005872706.tif 000004
【図３】
0005872706.tif 000005
【図４Ａ】
0005872706.tif 000006
【図４Ｂ】
0005872706.tif 000007
【図５Ａ】
0005872706.tif 000008
【図５Ｂ】
0005872706.tif 000009
【図６】
0005872706.tif 000010
【図７】
0005872706.tif 000011
【図８】
0005872706.tif 000012
【図９】
0005872706.tif 000013